(57)【要約】【課題】壁等から屋内への空気汚染物質の侵入が抑制されると共に外壁内での結露が防止される住宅換気システムを提供する。【解決手段】住宅換気システムは、外装材３１と内装材３４との間に外装下地材３２が介設された外壁構造を挟んで屋外に臨んだ居室を有する住宅に設けられている。居室内の圧力が屋外の圧力に対して正圧となるように構成されている。外装下地材３２は、透湿性材料で形成されている。【選択図】図２
2005024104.tif 000002
【特許請求の範囲】
【請求項１】
外装材と内装材との間に外装下地材が介設された外壁構造を挟んで屋外に臨んだ居室を有する住宅に設けられた住宅換気システムであって、
上記居室内の圧力が屋外の圧力に対して正圧となるように構成されており、
上記外装下地材は、透湿性材料で形成されている、住宅換気システム。
【請求項２】
請求項１に記載された住宅換気システムにおいて、
上記居室に給気用換気扇、及び、排気ゾーンに排気口がそれぞれ設けられていると共に、該居室と該排気ゾーンとを通気可能とする通気手段がさらに設けられている、住宅換気システム。
【請求項３】
請求項１に記載された住宅換気システムにおいて、
上記居室に給気用換気扇、及び、排気ゾーンに排気用換気扇がそれぞれ設けられていると共に、該居室と該排気ゾーンとを通気可能とする通気手段がさらに設けられており、
上記給気用換気扇による単位時間当たりの給気風量よりも上記排気用換気扇による単位時間当たりの排気風量の方が小さいことにより、上記居室内の圧力が屋外の圧力に対して正圧とされている、住宅換気システム。
【請求項４】
請求項１に記載された住宅換気システムにおいて、
上記居室に給気用換気扇及び排気手段の両方が設けられている、住宅換気システム。
【請求項５】
請求項１に記載された住宅換気システムにおいて、
上記外装下地材は、その透湿抵抗が１．５×１０９ｍ２・ｓ・Ｐａ／ｋｇ以下である、住宅換気システム。
【請求項６】
請求項１に記載された住宅換気システムにおいて、
上記外壁構造は、上記外装材と上記外装下地材との間に通気用空間が設けられている、住宅換気システム。
【請求項７】
請求項６に記載された住宅換気システムにおいて、
上記外装下地材は板状である、住宅換気システム。
【発明の詳細な説明】
【０００１】
【発明の属する技術分野】
本発明は、屋外の空気を屋内に取り入れる給気、及び、屋内の空気を屋外へ排出する排気によって、住宅の屋内空気を清浄に保つ為の住宅換気システムに関する。
【０００２】
【従来の技術】
住宅の高断熱化によって、又、高気密化シックハウス対策として、全ての居室に換気回数０．５回／時以上の常時換気設備が必要となり、この対応として、屋内の空気を正常に保つ為の２４時間住宅換気システムの導入が行われている。非特許文献１によると、住宅換気システムでは、通常、第１種換気（給気・排気共に機械換気）か第３種換気（排気のみ機械換気、給気は自然換気）により、屋内で発生する空気汚染物質や湿気等の排出が行われる。
【０００３】
【非特許文献１】
財団法人住宅金融普及協会発行  平成１３年度版  木造住宅工事共通仕様書（解説付）
【０００４】
【発明が解決しようとする課題】
ところで、第１種換気による住宅換気システムにおいて、屋内の圧力が屋外の圧力と同等、若しくは屋外の圧力に対して負圧となる場合、屋外から屋内への空気の流れが発生し、例えば図９（ａ）に示すように、壁、床、天井、小屋裏、階間部といった壁体内等から屋内へ空気汚染物質が侵入する恐れがある。従って、第１種換気を行う場合には、給気量を多くして屋内の圧力を屋外の圧力に対して正圧とすればよいと考えられるが、内装材に透湿抵抗の大きい材料や、防湿材等、通気性の小さい材料が用いられていると、防湿材の継ぎ目部分やコンセント部分、施工時等についた破れ部分に屋内で発生した湿気が集中する為、結露の危険性が高くなる。また、第３種換気を行う場合は、小屋裏等に別途排気用の換気設備の設置を行う必要がある。
【０００５】
住宅換気システムに第２種換気（給気のみ機械換気、排気は自然換気）を用いれば、屋内の圧力が屋外の圧力に対して正圧となるので、壁体内等からの空気汚染物質の侵入を防止することができる。しかしながら、例えば図９（ｂ）に示すように、呼吸、料理、開放暖房機器の使用等、屋内での生活行為によって発生する湿気が壁、床、天井に侵入し、結露が発生し易くなる。第２種換気を住宅に適用することについて非特許文献１には記載がなく、また、第２種換気が手術室や精密機器製造工場等のクリーンルームのみに限定されるのは、かかる理由によるものである。
【０００６】
本発明は、かかる点に鑑みてなされたものであり、その目的とするところは、壁等から屋内への空気汚染物質の侵入が抑止されると共に外壁内での結露の発生が防止される住宅換気システムを提供することである。
【０００７】
【課題を解決するための手段】
請求項１に係る発明は、外装材と内装材との間に外装下地材が介設された外壁構造を挟んで屋外に臨んだ居室を有する住宅に設けられた住宅換気システムであって、
上記居室内の圧力が屋外の圧力に対して正圧となるように構成されており、
上記外装下地材は、透湿性材料で形成されている。
【０００８】
上記の構成によれば、居室内の圧力が屋外の圧力に対して正圧となるように構成されており、外壁を介して居室内から屋外に空気の流れが生じるので、壁等に含まれる空気汚染物質が屋内に侵入するのが抑止される。また、外装材と内装材との間に介設された外装下地材が透湿性材料で形成されているので、外壁等を介して屋内から屋外に流れる空気に湿気が含まれていても、その空気中の湿気も外装下地材を透過して屋外に排出され、結露の発生が防止される。
【０００９】
ここで、居室には、和室、寝室、子供室、リビング等が含まれる。
【００１０】
請求項２に係る発明は、請求項１に記載された住宅換気システムにおいて、
上記居室に給気用換気扇、及び、排気ゾーンに排気口がそれぞれ設けられていると共に、該居室と該排気ゾーンとを通気可能とする通気手段がさらに設けられている。
【００１１】
上記の構成によれば、給気用換気扇によって強制的に屋内に新気が導入される一方、排気口から屋内の汚れた空気が自然に排出される。これにより、屋内の圧力が屋外の圧力に対して正圧となる第２種換気が構成される。こうして、外壁等を介して屋内から屋外に空気の流れが生じるので、壁等に含まれる空気汚染物質が屋内に侵入するのが抑止される。
【００１２】
ここで、排気ゾーンには、トイレ、洗面所、階段ホール、納戸、浴室等が含まれる。
【００１３】
請求項３に係る発明は、請求項１に記載された住宅換気システムにおいて、
上記居室に給気用換気扇、及び、排気ゾーンに排気用換気扇がそれぞれ設けられていると共に、該居室と該排気ゾーンとを通気可能とする通気手段がさらに設けられており、
上記給気用換気扇による単位時間当たりの給気風量よりも上記排気用換気扇による単位時間当たりの排気風量の方が小さいことにより、上記居室内の圧力が屋外の圧力に対して正圧とされている。
【００１４】
上記の構成によれば、給気用換気扇によって強制的に屋内に新気が導入される一方、排気用換気扇から屋内の汚れた空気が強制的に排出される。また、給気用換気扇による単位時間当たりの給気風量よりも排気用換気扇による単位時間当たりの排気風量の方が小さい。これにより、屋内の圧力が屋外の圧力に対して正圧となる第１種換気が構成される。こうして、外壁等を介して屋内から屋外に空気の流れが生じるので、壁等に含まれる空気汚染物質が屋内に侵入するのが抑止される。
【００１５】
請求項４に係る発明は、請求項１に記載された住宅換気システムにおいて、
上記居室に給気用換気扇及び排気手段の両方が設けられている。
【００１６】
上記の構成によれば、居室内に給気用換気扇によって強制的に新気が導入される一方、排気手段によって居室内の汚れた空気が強制的に排出される。また、居室内の圧力が屋外の圧力に対して正圧となるように構成されている。こうして、外壁を介して居室内から屋外に空気の流れが生じるので、壁等に含まれる空気汚染物質が屋内に侵入するのが抑止される。さらに、居室に給気用換気扇及び排気手段の両方が設けられているので、排気ゾーンに住宅換気用の排気手段を設ける必要も、また、居室と排気ゾーンとの間に通気手段を設ける必要もない。
【００１７】
ここで、排気手段は、排気口であっても排気用換気扇であってもよく、また、給気用換気扇を兼ね備えた給排気用換気扇であってもよい。排気用換気扇或いは給排気用換気扇を設ける場合、居室内の圧力が屋外の圧力に対して正圧となるように構成されているので、排気用換気扇或いは給排気用換気扇による居室の単位時間当たりの排気風量は、給気用換気扇或いは給排気用換気扇による居室の単位時間当たりの給気風量よりも小さくされる。
【００１８】
請求項５に係る発明は、請求項１に記載された住宅換気システムにおいて、
上記外装下地材の透湿抵抗が１．５×１０９ｍ２・ｓ・Ｐａ／ｋｇ以下である。
【００１９】
上記の構成によれば、本発明の上記の結露発生を防止する作用効果がより顕著となる。
【００２０】
請求項６に係る発明は、請求項１に記載された住宅換気システムにおいて、
上記外壁構造は、上記外装材と上記外装下地材との間に通気用空間が設けられている。
【００２１】
上記の構成によれば、外装材と外装下地材との間に通気用空間が設けられているので、屋内からの空気をその通気用空間を介して効率よく屋外に排出することができる。
【００２２】
請求項７に係る発明は、請求項６に記載された住宅換気システムにおいて、
上記外装下地材は板状である。
【００２３】
外装下地材が例えばシート状であると、屋内が屋外に対して正圧であることにより外装下地材が外装材側に押されて通気用空間を閉塞してしまう虞がある。しかしながら、上記の構成によれば、外装下地材が板状であるので、通気用空間を閉塞することがなく、また、耐力材として住宅の躯体に取り付けることにより筋交いと同等若しくは同等以上の耐力を得ることができるので、筋交いを施工する必要がなく、そうすると筋交いによって生じる断熱欠陥を回避することができる。
【００２４】
【発明の実施の形態】
以下、本発明の実施形態を図面に基づいて詳細に説明する。
【００２５】
（実施形態１）
図１は、実施形態１の住宅１の間取りを示す。図２は、この住宅１の外壁構造を示す。この住宅１は、本発明の実施形態１に係る住宅用２４時間換気システムが設けられたものである。以下、図１において、上側を北として説明する。
【００２６】
この住宅１は、東西南北のそれぞれに面した外壁Ｗを有する東西に長い長方形状の２階建て家屋である。
【００２７】
各外壁Ｗは、柱や間柱等の縦軸材と土台、胴差、梁、桁等の横架材とからなる軸組材や縦枠と上枠及び下枠とからなる枠組材に、屋外側から屋内側に順に外装材３１、外装下地材３２、断熱材３３及び内装材３４が層をなすように設けられたものである。
【００２８】
外装材３１は、例えば、窯業系のサイディング、タイル製、金属製、モルタル塗りのもの等で構成されている。建物の外壁Ｗを構成するものであれば特に限定されるものではない。
【００２９】
外装下地材３２は、透湿抵抗が１．５×１０９ｍ２・ｓ・Ｐａ／ｋｇ以下である透湿性材料で形成されており、例えば、ＩＢ（インシュレーションボード）、ＭＤＦ（ミディアムデンシティーファイバーボード）、透湿シート、火山性ガラス質複層板等で構成されている。そのため、湿気を含んだ空気が外装下地材３２を通過するときでも、湿気だけが外装下地材３２に滞留するということがなく、湿気を含んだ空気がそのまま通り抜ける。具体的な外装下地材３２としては表１に示すものを挙げることができる。因みに、厚さ９ｍｍの合板では、透湿抵抗が４．９０×１０９ｍ２・ｓ・Ｐａ／ｋｇ、厚さ１２ｍｍの合板では、透湿抵抗が６．５３×１０９ｍ２・ｓ・Ｐａ／ｋｇである。
【００３０】
【表１】
2005024104.tif 000003
【００３１】
外装材３１は胴縁等に取り付けられた構造となっているために外装下地材３２から離間して配置されており、それらの間には通気用空間３６が設けられている。高い空気の流通性能を得るには、この通気用空間３６の幅は１０ｍｍ以上であるのがよい。
【００３２】
断熱材３３は、所要の断熱性能を有するポリスチレン樹脂、フェノール樹脂、ポリエチレン樹脂等の発泡系のものや、グラスウール、防湿層付グラスウール、ロックウール等の繊維系のものにより構成されている。
【００３３】
内装材３４は、例えば、石膏ボード、ケイ酸カルシウム板、繊維板、ロックウール板等からなる内装下地材に内装仕上げ材としてクロス等の壁紙や塗装仕上げを行ったものや内装下地材に化粧加工を行って内装下地材と一体化したもの等で構成されている。内装材３４を構成するものであれば特に限定されるものではない。
【００３４】
この住宅１の１階部分には、南側中央に玄関８、中央部分に１階ホール１５、北側中央に階段（排気ゾーン）１９、南西部分に和室（居室）７、北西部分に浴室（排気ゾーン）４、１階トイレ（排気ゾーン）５及び洗面所６、東側部分にリビング・ダイニング・キッチン（以下「ＬＤＫ」という。）（居室）２がそれぞれ設けられている。２階部分には、南側中央に玄関８に通じる吹き抜け２３、中央部分に２階ホール２２、北側中央に階段（排気ゾーン）１９、南西部分に主寝室（居室）２０、北西部分に納戸１８及び２階トイレ（排気ゾーン）２１、南東部分に第１洋室（居室）３ａ、北東部分に第２洋室（居室）３ｂがそれぞれ設けられている。和室７、ＬＤＫ２、主寝室２０、第１洋室３ａ及び第２洋室３ｂの居室は、外壁Ｗを挟んで屋外に臨んでいる。
【００３５】
１階部分において、和室７には、南側外壁Ｗの中央に掃き出し窓Ｏが設けられていると共に、その西側に隣接して給気用換気扇１４が設けられている。
【００３６】
ＬＤＫ２には、南側外壁Ｗの中央に窓Ｏが設けられていると共に、その東側に隣接して給気用換気扇１４が設けられている。また、東側外壁Ｗの南寄りに窓Ｏが設けられていると共に、その北側にも給気用換気扇１４が設けられている。
【００３７】
これらの給気用換気扇１４は２４時間常時運転され、それにより屋内に強制的に屋外の新気が導入されるようになっている。
【００３８】
浴室４には、北側外壁Ｗに排気用レジスタ（排気口）１２が設けられている。
【００３９】
１階トイレ５には、西側外壁Ｗに排気用レジスタ（排気口）１２が設けられている。
【００４０】
これらの排気用レジスタ１２により屋内の空気が自然に屋外に排出されるようになっている。
【００４１】
和室７と１階ホール１５との間仕切りとして、引き戸Ｓが設けられている。この引き戸Ｓの枠材との隙間により、和室７と１階ホール１５との間が通気可能となっている。
【００４２】
ＬＤＫ２と１階ホール１５との間仕切りとして、アンダーカット或いはガラリの付いたドアＤが設けられている。このドアＤのアンダーカット或いはガラリにより、ＬＤＫ２と１階ホール１５との間が通気可能となっている。
【００４３】
浴室４と洗面所６との間仕切りとして、ガラリの付いたドアＤが設けられている。このドアＤのガラリにより、浴室４と洗面所６との間が通気可能となっている。
【００４４】
洗面所６と１階ホール１５との間仕切りとして、アンダーカット或いはガラリの付いたドアＤが設けられている。このドアＤのアンダーカット或いはガラリにより、洗面所６と１階ホール１５との間が通気可能となっている。
【００４５】
１階トイレ５と１階ホール１５との間仕切りとして、アンダーカット或いはガラリの付いたドアＤが設けられている。このドアＤのアンダーカット或いはガラリにより、１階トイレ５と１階ホール１５との間が通気可能となっている。
【００４６】
２階部分において、主寝室２０には、南側外壁Ｗの中央に窓Ｏが設けられていると共に、その西側に隣接して給気用換気扇１４が設けられている。
【００４７】
第１洋室３ａには、南側外壁Ｗの中央に窓Ｏが設けられていると共に、その東側に隣接して給気用換気扇１４が設けられている。
【００４８】
第２洋室３ｂには、東側外壁Ｗの中央に窓Ｏが設けられていると共に、その北側に隣接して給気用換気扇１４が設けられている。
【００４９】
これらの給気用換気扇１４は２４時間常時運転され、それにより屋内に強制的に屋外の新気が導入されるようになっている。
【００５０】
階段１９の部分には、北側外壁Ｗに排気用レジスタ（排気口）１２が設けられている。
【００５１】
２階トイレ２１には、北側外壁Ｗに排気用レジスタ（排気口）１２が設けられている。
【００５２】
これらの排気用レジスタ１２により屋内の空気が自然に屋外に排出されるようになっている。
【００５３】
主寝室２０と２階ホール２２との間仕切りとして、アンダーカット或いはガラリの付いたドアＤが設けられている。このドアＤのアンダーカット或いはガラリにより、主寝室２０と２階ホール２２との間が通気可能となっている。
【００５４】
第１洋室３ａと２階ホール２２との間仕切りとして、アンダーカット或いはガラリの付いたドアＤが設けられている。このドアＤのアンダーカット或いはガラリにより、第１洋室３ａと２階ホール２２との間が通気可能となっている。
【００５５】
第２洋室３ｂと２階ホール２２との間仕切りとして、アンダーカット或いはガラリの付いたドアＤが設けられている。このドアＤのアンダーカット或いはガラリにより、第２洋室３ｂと２階ホール２２との間が通気可能となっている。
【００５６】
２階トイレ２１と２階ホール２２との間仕切りとして、アンダーカット或いはガラリの付いたドアＤが設けられている。このドアＤのアンダーカット或いはガラリにより、２階トイレ２１と２階ホール２２との間が通気可能となっている。
【００５７】
この住宅１において、引き戸Ｓ及びドアＤにより給気用換気扇１４が設けられた居室から排気用レジスタ１２が設けられた排気ゾーンに至るまで通気可能とする通気手段が構成されており、この通気手段、透湿性材料で形成された外装下地材３２を有する外壁構造、６機の給気用換気扇１４及び４つの排気用レジスタ１２により強制給気及び自然排気の第２種換気方式による住宅用２４時間換気システムが構成されている。この住宅用２４時間換気システムでは、給気用換気扇１４によって屋外から強制的に新気が取り入れられると共に、排気用レジスタ１２によって屋内の空気が自然に排出される。従って、屋内の圧力が屋外の圧力に対して正圧となる。
【００５８】
次に、この住宅用２４時間換気システムによる換気について説明する。
【００５９】
この住宅用２４時間換気システムでは、和室７、ＬＤＫ２、主寝室２０、第１洋室３ａ及び第２洋室３ｂに設けられた６機の給気用換気扇１４によって屋外から新気が取り入れられる。
【００６０】
新気が取り入れられる和室７等では気圧が高まるため、和室７等の空気が引き戸ＳやドアＤを介して１階ホール１５或いは２階ホール２２に流出する。具体的には、和室７と１階ホール１５との間の引き戸Ｓの枠材との隙間を介して和室７の空気が１階ホール１５に流出する。ＬＤＫ２と１階ホール１５との間のドアＤのアンダーカット或いはガラリを介してＬＤＫ２の空気が１階ホール１５に流出する。主寝室２０と２階ホール２２との間のドアＤのアンダーカット或いはガラリを介して主寝室２０の空気が２階ホール２２に流出する。第１洋室３ａと２階ホール２２との間のドアＤのアンダーカット或いはガラリを介して第１洋室３ａの空気が２階ホール２２に流出する。第２洋室３ｂと２階ホール２２との間のドアＤのアンダーカット或いはガラリを介して第２洋室３ｂの空気が２階ホール２２に流出する。また、このとき、それらの引き戸ＳやドアＤが開いた状態であれば、和室７等の空気がそのまま１階ホール１５或いは２階ホール２２に流出する。
【００６１】
そして、和室７等から１階ホール１５或いは２階ホール２２に流出した空気は、浴室４等に設けられた排気用レジスタ１２から排出される。具体的には、１階ホール１５と洗面所６との間のドアＤのアンダーカット或いはガラリを介して１階ホール１５の空気が洗面所６に流入し、さらに、洗面所６と浴室４との間のドアＤのアンダーカット或いはガラリを介して洗面所６の空気が浴室４に流入し、その浴室４に流入した空気が排気用レジスタ１２から屋外に排出される。１階ホール１５と１階トイレ５との間のドアＤのアンダーカット或いはガラリを介して１階ホール１５の空気が１階トイレ５に流入し、その１階トイレ５に流入した空気が排気用レジスタ１２から屋外に排出される。２階ホール２２と２階トイレ２１との間のドアＤのアンダーカット或いはガラリを介して２階ホール２２の空気が２階トイレ２１に流入し、その２階トイレ２１に流入した空気が排気用レジスタ１２から屋外に排出される。１階ホール１５及び２階ホール２２の空気がそのまま階段１９の部分の排気用レジスタ１２から排出される。
【００６２】
以上の住宅用２４時間換気システムでは、給気用換気扇１４によって強制的に屋内に新気が導入される一方、排気レジスタから屋内の汚れた空気が自然に排出される。これにより、図２に示すように、屋内の圧力が屋外の圧力に対して正圧となる。従って、外壁Ｗを介して屋内から屋外に向かう空気の流れが生じるので、壁等に含まれる空気汚染物質が屋内に侵入するのを抑止することができる。
【００６３】
また、外装材３１と内装材３４との間に介設された外装下地材３２が透湿性材料で形成されているので、外壁Ｗ等を介して屋内から屋外に流れる空気に湿気が含まれていても、その空気中の湿気もそのまま外装下地材３２を透過して屋外に排出され、結露の発生を防止することができる。
【００６４】
さらに、外装材３１と外装下地材３２との間に通気用空間３６が設けられているので、屋内からの空気をその通気用空間３６を介して効率よく屋外に排出することができる。
【００６５】
また、排気が自然換気によるので、強制排気を行う第１種換気に比べて設備費及び運転費を低く抑えることができる。
【００６６】
ここで、より具体的な外壁構造について検討してみる。
【００６７】
図３は、外壁構造の一例を示す。この外壁構造では、屋外側から屋内側に順に外装材３１、外装下地材３２、断熱材３３、防湿シート３５及び内装材（内装下地材３４ａに内装仕上げ材３４ｂとしてクロス等の壁紙が施されたもの）３４が層をなすように設けられている。また、外装下地材３２として透湿防水シートが用いられている。このように外装下地材３２が透湿防水シートであると、図３に仮想線で示すように、屋内が屋外に対して正圧であることにより外装下地材３２が外装材３１側に押されて通気用空間３６を閉塞してしまう虞がある。
【００６８】
図４は、他の外壁構造の例を示す。この外壁構造では、屋外側から屋内側に順に外装材３１、外装下地材３２、断熱材３３、防湿シート３５及び内装材（内装下地材３４ａに化粧加工が施されたもの）３４が層をなすように設けられている。また、外装下地材３２として板状のものが用いられている。このように外装下地材３２が板状であれば、通気用空間３６を閉塞することがなく、また、耐力材として住宅１の躯体に取り付けることにより筋交いと同等若しくは同等以上の耐力を得ることができるので、筋交いを施工する必要がなく、そうすると筋交いによって生じる断熱欠陥を回避することができる。
【００６９】
図５は、別の他の外壁構造の例を示す。この外壁構造では、屋外側から屋内側に順に外装材３１、板状の外装下地材３２、断熱材３３及び内装材（内装下地材３４ａに化粧加工が施されたもの）３４が層をなすように設けられている。図４に示すものとの相異点は防湿シート３５が無い点である。図４における防湿シート３５は、屋内で発生した湿気が壁体内に侵入するのを規制するものであるが、本実施形態では、壁体内に侵入した湿気が外装下地材３２及び通気用空間３６を介して屋外に排出されるので、特に必要ではない。このように防湿シート３５が設けられていなければ、タッカー、抑え用の板、釘等を使用する煩雑な施工手間が省かれ、防湿シート３５の破れや継ぎ目部分の隙間等、施工精度の悪さによる結露の発生を考慮する必要がない。また、屋内外の圧力差によって防湿シート３５が壁内側に膨れたりせず、解体や廃棄時の分別が容易である。
【００７０】
（実施形態２）
図６は、実施形態２の住宅１の間取りを示す。この住宅１は、本発明の実施形態２に係る住宅用２４時間換気システムが設けられたものである。以下、図６において、上側を北として説明する。なお、実施形態１と同一名称のものは同一符号で示す。
【００７１】
この住宅１は、東西南北のそれぞれに面した外壁Ｗを有する東西に長い長方形状の２階建て家屋である。外壁構造は実施形態１のものと同一である。
【００７２】
この住宅１の１階部分には、西側中央に玄関８、中央部分に１階ホール１５及び階段１９、南西部分に和室（居室）７、北西部分に浴室（排気ゾーン）４及び洗面所６、南東部分にリビングダイニング（以下「ＬＤ」という。）（居室）１６、北東部分にキッチン１７、納戸１８及び１階トイレ（排気ゾーン）５がそれぞれ設けられている。２階部分には、中央部分に２階ホール（排気ゾーン）２２、北側中央部分に洗面台６ａ及び２階トイレ（排気ゾーン）２１、南西部分に第１洋室（居室）３ａ、北西部分に第２洋室（居室）３ｂ、南東部分に主寝室（居室）２０、南西部分に第３洋室（居室）３ｃがそれぞれ設けられている。和室７、ＬＤ１６、主寝室２０、第１洋室３ａ、第２洋室３ｂ及び第３洋室３ｃの居室は、外壁Ｗを挟んで屋外に臨んでいる。
【００７３】
１階部分において、和室７には、南側外壁Ｗの中央に掃き出し窓Ｏが設けられていると共に、その西側に隣接して給気用換気扇１４が設けられている。
【００７４】
ＬＤ１６には、南側外壁Ｗの中央に一対の窓Ｏが設けられていると共に、それらの間に給気用換気扇１４が設けられている。また、東側外壁Ｗの中央に窓Ｏが設けられていると共に、その北側にも給気用換気扇１４が設けられている。
【００７５】
これらの給気用換気扇１４は２４時間常時運転され、それにより屋内に強制的に屋外の新気が導入されるようになっている。
【００７６】
浴室４には、北側外壁Ｗに排気用換気扇１１が設けられている。
【００７７】
１階トイレ５には、北側外壁Ｗに排気用換気扇１１が設けられている。
【００７８】
これらの排気用換気扇１１は２４時間常時運転され、それにより屋内の空気が屋外に強制的に排出されるようになっている。
【００７９】
和室７と１階ホール１５との間仕切りとして、アンダーカット或いはガラリの付いたドアＤが設けられている。このドアＤの枠材との隙間により、和室７と１階ホール１５との間が通気可能となっている。
【００８０】
ＬＤ１６と１階ホール１５との間仕切りとして、アンダーカット或いはガラリの付いたドアＤが設けられている。このドアＤのアンダーカット或いはガラリにより、ＬＤ１６と１階ホール１５との間が通気可能となっている。
【００８１】
キッチン１７と１階ホール１５との間仕切りとして、アンダーカット或いはガラリの付いたドアＤが設けられている。このドアＤのアンダーカット或いはガラリにより、キッチン１７と１階ホール１５との間が通気可能となっている。
【００８２】
浴室４と洗面所６との間仕切りとして、ガラリの付いたドアＤが設けられている。このドアＤのガラリにより、浴室４と洗面所６との間が通気可能となっている。
【００８３】
洗面所６と１階ホール１５との間仕切りとして、アンダーカット或いはガラリの付いたドアＤが設けられている。このドアＤのアンダーカット或いはガラリにより、洗面所６と１階ホール１５との間が通気可能となっている。
【００８４】
１階トイレ５と１階ホール１５との間仕切りとして、アンダーカット或いはガラリの付いたドアＤが設けられている。このドアＤのアンダーカット或いはガラリにより、１階トイレ５と１階ホール１５との間が通気可能となっている。
【００８５】
２階部分において、第１洋室３ａには、南側外壁Ｗの中央に窓Ｏが設けられていると共に、その西側に隣接して給気用換気扇１４が設けられている。
【００８６】
第２洋室３ｂには、北側外壁Ｗの中央に窓Ｏが設けられていると共に、その東側に隣接して給気用換気扇１４が設けられている。
【００８７】
主寝室２０には、南側外壁Ｗの中央やや東寄りに窓Ｏが設けられていると共に、その西側に隣接して給気用換気扇１４が設けられている。
【００８８】
第３洋室３ｃには、東側外壁Ｗの中央に窓Ｏが設けられていると共に、その北側に隣接して給気用換気扇１４が設けられている。
【００８９】
これらの給気用換気扇１４は２４時間常時運転され、それにより屋内に強制的に屋外の新気が導入されるようになっている。
【００９０】
北側外壁Ｗに洗面台６ａの西側に隣接して排気用換気扇１１が設けられている。
【００９１】
２階トイレ２１には、北側外壁Ｗに排気用換気扇１１が設けられている。
【００９２】
これらの排気用換気扇１１は２４時間常時運転され、それにより屋内の空気が屋外に強制的に排出されるようになっている。
【００９３】
第１洋室３ａと２階ホール２２との間仕切りとして、アンダーカット或いはガラリの付いたドアＤが設けられている。このドアＤのアンダーカット或いはガラリにより、第１洋室３ａと２階ホール２２との間が通気可能となっている。
【００９４】
第２洋室３ｂと２階ホール２２との間仕切りとして、アンダーカット或いはガラリの付いたドアＤが設けられている。このドアＤのアンダーカット或いはガラリにより、第２洋室３ｂと２階ホール２２との間が通気可能となっている。
【００９５】
主寝室２０と２階ホール２２との間仕切りとして、アンダーカット或いはガラリの付いたドアＤが設けられている。このドアＤのアンダーカット或いはガラリにより、主寝室２０と２階ホール２２との間が通気可能となっている。
【００９６】
第３洋室３ｃと２階ホール２２との間仕切りとして、アンダーカット或いはガラリの付いたドアＤが設けられている。このドアＤのアンダーカット或いはガラリにより、第１洋室３ａと２階ホール２２との間が通気可能となっている。
【００９７】
２階トイレ２１と２階ホール２２との間仕切りとして、アンダーカット或いはガラリの付いたドアＤが設けられている。このドアＤのアンダーカット或いはガラリにより、２階トイレ２１と２階ホール２２との間が通気可能となっている。
【００９８】
この住宅１において、ドアＤにより給気用換気扇１４が設けられた居室から排気用換気扇１１が設けられた排気ゾーンに至るまで通気可能とする通気手段が構成されており、この通気手段、透湿性材料で形成された外装下地材３２を有する外壁構造、７機の給気用換気扇１４及び４機の排気用換気扇１１により、強制給気及び強制排気の第１種換気方式による住宅用２４時間換気システムが構成されている。この住宅用２４時間換気システムでは、７機の給気用換気扇１４による単位時間あたりの給気総量の方が４機の排気用換気扇１１による排気総量よりも多い。従って、屋内の圧力が屋外の圧力に対して正圧となる。
【００９９】
次に、この住宅用２４時間換気システムによる換気について説明する。
【０１００】
この住宅用２４時間換気システムでは、和室７、ＬＤ１６、第１〜３洋室３ａ〜３ｃ、主寝室２０に設けられた７機の給気用換気扇１４によって屋外から新気が取り入れられる。
【０１０１】
新気が取り入れられる和室７等では気圧が高まるため、和室７等の空気がドアＤを介して１階ホール１５或いは２階ホール２２に流出する。具体的には、和室７と１階ホール１５との間のドアＤのアンダーカット或いはガラリを介して和室７の空気が１階ホール１５に流出する。ＬＤ１６と１階ホール１５との間のドアＤのアンダーカット或いはガラリを介してＬＤ１６の空気が１階ホール１５に流出する。また、キッチン１７と１階ホール１５との間のドアＤのアンダーカット或いはガラリを介してＬＤ１６の空気がキッチン１７を介して１階ホール１５に流出する。第１洋室３ａと２階ホール２２との間のドアＤのアンダーカット或いはガラリを介して第１洋室３ａの空気が２階ホール２２に流出する。第２洋室３ｂと２階ホール２２との間のドアＤのアンダーカット或いはガラリを介して第２洋室３ｂの空気が２階ホール２２に流出する。主寝室２０と２階ホール２２との間のドアＤのアンダーカット或いはガラリを介して主寝室２０の空気が２階ホール２２に流出する。第３洋室３ｃと２階ホール２２との間のドアＤのアンダーカット或いはガラリを介して第３洋室３ｃの空気が２階ホール２２に流出する。また、このとき、それらのドアＤが開いた状態であれば、和室７等の空気がそのまま１階ホール１５或いは２階ホール２２に流出する。
【０１０２】
そして、和室７等から１階ホール１５或いは２階ホール２２に流出した空気は、浴室４等に設けられた排気用換気扇１１により強制的に屋外に排出される。具体的には、１階ホール１５と洗面所６との間のドアＤのアンダーカット或いはガラリを介して１階ホール１５の空気が洗面所６に流入し、さらに、洗面所６と浴室４との間のドアＤのアンダーカット或いはガラリを介して洗面所６の空気が浴室４に流入し、その浴室４に流入した空気が排気用換気扇１１によって強制的に屋外に排出される。１階ホール１５と１階トイレ５との間のドアＤのアンダーカット或いはガラリを介して１階ホール１５の空気が１階トイレ５に流入し、その１階トイレ５に流入した空気が排気用換気扇１１によって強制的に屋外に排出される。２階ホール２２と２階トイレ２１との間のドアＤのアンダーカット或いはガラリを介して２階ホール２２の空気が２階トイレ２１に流入し、その２階トイレ２１に流入した空気が排気用換気扇１１によって強制的に屋外に排出される。２階ホール２２の空気がそのまま洗面台６ａ横の排気用換気扇１１から強制的に排出される。
【０１０３】
以上の住宅用２４時間換気システムでは、給気用換気扇１４によって強制的に屋内に新気が導入される一方、排気用換気扇１１から屋内の汚れた空気が強制的に排出される。また、全ての給気用換気扇１４による単位時間あたりの給気総量の方が全ての排気用換気扇１１による排気総量よりも多い。これにより、屋内の圧力が屋外の圧力に対して正圧となる。従って、外壁Ｗを介して屋内から屋外に向かう空気の流れが生じるので、壁等に含まれる空気汚染物質が屋内に侵入するのを抑制することができる。
【０１０４】
また、外装材と内装材との間に介設された外装下地材が透湿性材料で形成されているので、外壁Ｗ等を介して屋内から屋外に流れる空気に湿気が含まれていても、その空気中の湿気もそのまま外装下地材を透過して屋外に排出され、結露の発生を防止することができる。
【０１０５】
さらに、外装材と外装下地材との間に通気用空間が設けられているので、屋内からの空気をその通気用空間を介して効率よく屋外に排出することができる。
【０１０６】
（実施形態３）
図７は、実施形態３の住宅１の間取りを示す。この間取り自体は実施形態１と同一である。この住宅１は、本発明の実施形態３に係る住宅用２４時間換気システムが設けられたものである。外壁構造は実施形態１のものと同一である。以下、図７において、上側を北として説明する。なお、実施形態１と同一名称のものは同一符号で示す。
【０１０７】
この住宅１の１階部分において、和室（居室）７には、南側外壁Ｗの中央に掃き出し窓Ｏが設けられていると共に、その西側に隣接して給排気用換気扇１３が設けられている。
【０１０８】
ＬＤＫ（居室）２には、南側外壁Ｗの中央に窓Ｏが設けられていると共に、その東側に隣接して給気用換気扇１４が設けられている。また、東側外壁Ｗの南寄りに窓Ｏが設けられていると共に、その北側にも給排気用換気扇１３が設けられている。
【０１０９】
これらの給排気用換気扇１３は２４時間常時運転され、それにより屋内に強制的に屋外の新気が導入されると共に、屋内の空気が強制的に排出されるようになっている。また、和室７の給排気用換気扇１３による単位時間当たりの排気風量は、その単位時間当たりの給気風量よりも小さい。ＬＤＫ２の２台の給排気用換気扇１３による単位時間当たりの総排気風量は、それらの単位時間当たりの総給気風量よりも小さい。
【０１１０】
２階部分において、主寝室（居室）２０には、南側外壁Ｗの中央に窓Ｏが設けられていると共に、その西側に隣接して給排気用換気扇１３が設けられている。
【０１１１】
第１洋室（居室）３ａには、南側外壁Ｗの中央に窓Ｏが設けられていると共に、その東側に隣接して給排気用換気扇１３が設けられている。
【０１１２】
第２洋室（居室）３ｂには、東側外壁Ｗの中央に窓Ｏが設けられていると共に、その北側に隣接して給排気用換気扇１３が設けられている。
【０１１３】
これらの給排気用換気扇１３は２４時間常時運転され、それにより屋内に強制的に屋外の新気が導入されると共に、屋内の空気が強制的に屋外に排出されるようになっている。主寝室２０、第１洋室３ａ及び第２洋室３ｂの各給排気用換気扇１３による単位時間当たりの排気風量は、その単位時間当たりの給気風量よりも小さい。
【０１１４】
この住宅１において、和室７等の各居室における給排気用換気扇１３及び透湿性材料で形成された外装下地材３２を有する外壁構造により強制給気及び強制排気の第１種換気方式による住宅用２４時間換気システムが構成されている。この住宅用２４時間換気システムでは、和室７、ＬＤＫ２、主寝室２０、第１洋室３ａ及び第２洋室３ｂの各居室において、給排気用換気扇１３によって屋外から新気が取り入れられると共に、屋内の空気が強制的に排出され、また、単位時間当たりの排気風量が単位時間当たりの給気風量よりも小さい。従って、各居室内の圧力が屋外の圧力に対して正圧となる。
【０１１５】
以上の住宅用２４時間換気システムでは、これらのことにより、外壁Ｗを介して居室内から屋外に向かう空気の流れが生じるので、壁等に含まれる空気汚染物質が屋内に侵入するのを抑止することができる。
【０１１６】
また、外装材と内装材との間に介設された外装下地材が透湿性材料で形成されているので、外壁Ｗ等を介して居室内から屋外に流れる空気に湿気が含まれていても、その空気中の湿気もそのまま外装下地材を透過して屋外に排出され、結露の発生を防止することができる。
【０１１７】
さらに、外装材と外装下地材との間に通気用空間が設けられているので、居室内からの空気をその通気用空間を介して効率よく屋外に排出することができる。
【０１１８】
また、居室に給排気用換気扇１３が設けられているので、排気ゾーンに住宅換気システム用の排気手段を設ける必要も、また、居室と排気ゾーンとの間に通気手段を設ける必要もない。
【０１１９】
なお、給排気用換気扇１３は、給気用換気扇と排気用換気扇とが一体となったものであるが、それらを別々に設置してもよい。
【０１２０】
（実施形態４）
図８は、実施形態４の住宅１の間取りを示す。この間取り自体は実施形態２と同一である。この住宅１は、本発明の実施形態４に係る住宅用２４時間換気システムが設けられたものである。外壁構造は実施形態１のものと同一である。以下、図９において、上側を北として説明する。なお、実施形態１と同一名称のものは同一符号で示す。
【０１２１】
この住宅の１階部分において、和室（居室）７には、南側外壁Ｗの中央に掃き出し窓Ｏが設けられていると共に、その東側に隣接して給気用換気扇１４が設けられている。また、西側外壁Ｗに窓Ｏが設けられていると共に、その北側に隣接して排気用レジスタ（排気手段）１２が設けられている。
【０１２２】
ＬＤ（居室）１６には、南側外壁Ｗの中央に一対の窓Ｏが設けられていると共に、西側の窓Ｏの西側に隣接して及び東側の窓Ｏの東側に隣接してそれぞれ給気用換気扇１４が設けられている。また、東側外壁Ｗの中央に窓Ｏが設けられていると共に、その北側に排気用レジスタ（排気手段）１２が設けられている。
【０１２３】
給気用換気扇１４は２４時間常時運転され、それにより屋内に強制的に屋外の新気が導入されるようになっている。また、排気用レジスタ１２により屋内の空気が自然に屋外に排出されるようになっている。
【０１２４】
２階部分において、第１洋室（居室）３ａには、南側外壁Ｗの中央に窓Ｏが設けられていると共に、その東側に隣接して給気用換気扇１４が設けられている。また、西側外壁Ｗに窓Ｏが設けられていると共に、その北側に隣接して排気用レジスタ（排気手段）１２が設けられている。
【０１２５】
第２洋室（居室）３ｂには、北側外壁Ｗの中央に窓Ｏが設けられていると共に、その東側に隣接して給気用換気扇１４が設けられている。また、西側外壁Ｗに窓Ｏが設けられていると共に、その南側に隣接して排気用レジスタ（排気手段）１２が設けられている。
【０１２６】
主寝室（居室）２０には、南側外壁Ｗの中央やや東寄りに窓Ｏが設けられていると共に、その西側に隣接して給気用換気扇１４が設けられている。また、東側外壁Ｗに窓Ｏが設けられていると共に、その北側に隣接して排気用レジスタ（排気口）１２が設けられている。
【０１２７】
第３洋室（居室）３ｃには、東側外壁Ｗの中央に窓Ｏが設けられていると共に、その南側に隣接して給気用換気扇１４が設けられている。また、北側外壁Ｗに窓Ｏが設けられていると共に、その西側に隣接して排気用レジスタ（排気口）１２が設けられている。
【０１２８】
給気用換気扇１４は２４時間常時運転され、それにより屋内に強制的に屋外の新気が導入されるようになっている。また、排気用レジスタ１２により屋内の空気が自然に屋外に排出されるようになっている。
【０１２９】
この住宅１において、和室７等の各居室における給気用換気扇１４、排気用レジスタ１２及び透湿性材料で形成された外装下地材を有する外壁構造により強制給気及び自然排気の第２種換気方式による住宅用２４時間換気システムが構成されている。この住宅用２４時間換気システムでは、和室７、ＬＤ１６、第１洋室３ａ、第２洋室３ｂ、第３洋室３ｃ及び主寝室２０の各居室において、給気用換気扇１４によって屋外から強制的に新気が取り入れられると共に、排気用レジスタ１２によって居室内の空気が自然に排出される。従って、居室内の圧力が屋外の圧力に対して正圧となる。
【０１３０】
作用効果は実施形態３と同一である。
【０１３１】
（その他の実施形態）
上記実施形態１〜４では、透湿性を有する外壁構造としたが、併せて天井や床の構造を透湿性の構造としてもよい。
【０１３２】
また、上記実施形態１〜４では、外壁Ｗに給気用換気扇１４、排気用レジスタ１２或いは排気用換気扇１１を設けたノンダクト方式の構成としたが、特にこれに限定されるものではなく、天井や屋根裏にダクトを設けたダクト方式の構成としてもよい。
【０１３３】
また、上記実施形態１及び２では、全ての居室が実施形態１及び２の住宅換気システムに関与するものとしたが、特にこれに限定されるものではなく、居室のうち少なくとも１部屋が実施形態１及び２の住宅換気システムに関与せず、実施形態３又は４の住宅換気システムが構成されたものとしてもよい。
【０１３４】
【発明の効果】
以上説明したように、本発明によれば、壁等から屋内への空気汚染物質の侵入を抑制することができると共に外壁内での結露を防止することができる。
【図面の簡単な説明】
【図１】実施形態１の住宅の間取りを示す平面図である。
【図２】外壁の模式的な断面図である。
【図３】実施形態１の住宅の外壁の一例の模式的な断面図である。
【図４】実施形態１の住宅の他の外壁の一例の模式的な断面図である。
【図５】実施形態１の住宅の別の他の外壁の一例の模式的な断面図である。
【図６】実施形態２の住宅の間取りを示す平面図である。
【図７】実施形態３の住宅の間取りを示す平面図である。
【図８】実施形態２の住宅の間取りを示す平面図である。
【図９】（ａ）及び（ｂ）は、従来技術の外壁の模式的な断面図である。
【符号の説明】
１  住宅
２  リビングダイニングキッチン（ＬＤＫ）
３ａ  第１洋室
３ｂ  第２洋室
３ｃ  第３洋室
４  浴室
５  １階トイレ
６  洗面所
６ａ  洗面台
７  和室
８  玄関
１１  排気用換気扇
１２  排気用レジスタ（排気口）
１３  給排気用換気扇
１４  給気用換気扇
１５  １階ホール
１６  リビングダイニング（ＬＤ）
１７  キッチン
１８  納戸
１９  階段
２０  主寝室
２１  ２階トイレ
２２  ２階ホール
２３  吹き抜け
３１  外装材
３２  外装下地材
３３  断熱材
３４  内装材
３４ａ  内装下地材
３４ｂ  内装仕上げ材
３５  防湿シート
３６  通気用空間
Ｄ  ドア
Ｏ  窓
Ｓ  引き戸
Ｗ  外壁
【図１】
2005024104.tif 000004
【図２】
2005024104.tif 000005
【図３】
2005024104.tif 000006
【図４】
2005024104.tif 000007
【図５】
2005024104.tif 000008
【図６】
2005024104.tif 000009
【図７】
2005024104.tif 000010
【図８】
2005024104.tif 000011
【図９】
2005024104.tif 000012